(57)【要約】【課題】高圧蒸気タービンに補助蒸気を導入して軸を起動する起動方法では、より高圧高温の補助蒸気が必要となり、その結果、その他の使用先で使用する場合、補助蒸気を減圧減温することが必要となり、減圧装置、減温装置を発電所に設置するということは設備費の高騰を招くことになり、経済的に見合わない。【解決手段】一軸型複合サイクル発電プラントを補助蒸気を導入して蒸気起動する方法において、ガスタービン１が起動開始時点から燃焼ガスによる自立運転ができる回転数に到達する迄の間、補助蒸気量調節弁２５の弁開度および低圧主蒸気加減弁１８の弁開度をそれぞれ調節して起動用ボイラ２２からの補助蒸気を低圧タービン蒸気供給系統を経て低圧蒸気タービン３Ｌに供給することにより当該低圧蒸気タービン３Ｌに駆動力を発生させ、ガスタービン、高圧蒸気タービン、低圧蒸気タービンおよび発電機を一体的に昇速制御する。【選択図】図１
2010261389.tif 000002
【特許請求の範囲】
【請求項１】
燃焼ガスにより駆動され、排気ガスを排出するガスタービンと、
前記ガスタービンからの排気ガスを熱源として、高圧蒸気を発生させる高圧ドラムおよび前記高圧蒸気よりも低い圧力の低圧蒸気を発生させる低圧ドラムを含む排熱回収ボイラと、
前記ガスタービンと同軸に配置されるとともに、前記高圧ドラムから送気され高圧蒸気加減弁を通過する高圧蒸気によって駆動される高圧蒸気タービンと、
前記高圧蒸気タービンと同軸に配置された低圧蒸気タービンと、
前記低圧蒸気タービン同軸に配置された発電機と、
低圧主蒸気加減弁を備えるとともに、前記低圧ドラムからの前記低圧蒸気を、前記低圧主蒸気加減弁を介して前記低圧蒸気タービンに供給する低圧タービン蒸気供給配管と、
補助蒸気を発生する起動用ボイラと、
前記起動用ボイラと前記低圧タービン蒸気供給配管の前記低圧主蒸気加減弁の上流部との間を接続するとともに、起動時に補助蒸気を供給する起動時補助蒸気供給配管と、
前記起動時補助蒸気供給配管から前記低圧タービン蒸気供給配管に供給される蒸気量を調節する補助蒸気量調節弁と、
を備えた一軸型複合サイクル発電プラントの起動方法において、
前記ガスタービンが起動開始時点から燃焼ガスによる自立運転ができる回転数に到達する迄の間、前記補助蒸気量調節弁の弁開度を調節して前記起動用ボイラからの補助蒸気を、前記低圧タービン蒸気供給配管を経て前記低圧蒸気タービンに供給することにより当該低圧蒸気タービンに駆動力を発生させ、前記ガスタービン、高圧蒸気タービン、低圧蒸気タービンおよび発電機を一体的に昇速制御するようにしたことを特徴とする一軸型複合サイクル発電プラントの起動方法。
【請求項２】
燃焼ガスにより駆動され、排気ガスを排出するガスタービンと、
前記ガスタービンからの排気ガスを熱源として、高圧蒸気を発生させる高圧ドラムおよび前記高圧蒸気よりも低い圧力の低圧蒸気を発生させる低圧ドラムを含む排熱回収ボイラと、
前記ガスタービンと同軸に配置されるとともに、前記高圧ドラムから送気され高圧蒸気加減弁を通過する高圧蒸気によって駆動される高圧蒸気タービンと、
前記高圧蒸気タービンと同軸に配置された低圧蒸気タービンと、
前記低圧蒸気タービン同軸に配置された発電機と、
低圧主蒸気加減弁を備えるとともに、前記低圧ドラムからの前記低圧蒸気を、前記低圧主蒸気加減弁を介して前記低圧蒸気タービンに供給する低圧タービン蒸気供給配管と、
補助蒸気を発生する起動用ボイラと、
前記起動用ボイラと前記低圧タービン蒸気供給配管の前記低圧主蒸気加減弁の上流部との間を接続するとともに、起動時に補助蒸気を供給する起動時補助蒸気供給配管と、
前記起動時補助蒸気供給配管から前記低圧タービン蒸気供給配管に供給される蒸気量を調節する補助蒸気量調節弁と、
前記ガスタービンが起動開始時点から燃焼ガスによる自立運転ができる回転数に到達する迄の間、前記補助蒸気量調節弁の弁開度を調節して前記起動用ボイラからの補助蒸気を、前記低圧タービン蒸気供給配管を経て前記低圧蒸気タービンに供給することにより当該低圧蒸気タービンに駆動力を発生させ、前記ガスタービン、高圧蒸気タービン、低圧蒸気タービンおよび発電機を一体的に昇速制御する制御装置と、
を備えることを特徴とする一軸型複合サイクル発電プラント。
【請求項３】
前記補助蒸気量調節弁は、前記起動時補助蒸気供給配管の途中に設けられるとともに、
前記制御装置は、前記ガスタービンが起動開始時点から燃焼ガスによる自立運転ができる回転数に到達する迄の間、前記補助蒸気量調節弁の弁開度および前記低圧主蒸気加減弁の弁開度をそれぞれ調節して前記起動用ボイラからの補助蒸気を、前記低圧タービン蒸気供給配管を経て前記低圧蒸気タービンに供給することにより当該低圧蒸気タービンに駆動力を発生させ、前記ガスタービン、高圧蒸気タービン、低圧蒸気タービンおよび発電機を一体的に昇速制御するようにしたことを特徴とする請求項２記載の一軸型複合サイクル発電プラント。
【請求項４】
前記低圧蒸気タービンからの排気蒸気を凝縮させる復水器と、
前記起動時補助蒸気供給配管と前記復水器とを接続するバイパス管をさらに備え、
前記補助蒸気量調節弁は当該バイパス配管の途中に設けられるとともに、
前記制御装置は、前記ガスタービンの昇速が開始される前に当該ガスタービンが自立運転できる回転数まで軸を昇速するために前記低圧蒸気タービンに必要な蒸気量を前記起動用ボイラに発生させ、かつ当該起動用ボイラが発生させた蒸気を前記バイパス管および補助蒸気量調節弁を介して復水器に流入させておき、昇速の過程で前記低圧主蒸気加減弁を介して前記低圧蒸気タービンに供給される蒸気量が前記回転数まで軸を昇速するのに必要な前記蒸気量と等しくなるように前記補助蒸気流量調節弁の流量制御を行うことを特徴とする請求項２記載の一軸型複合サイクル発電プラント。
【請求項５】
前記起動時補助蒸気供給配管に接続され、蒸気を直接大気に放出させる起動蒸気大気放出管と、
前記起動蒸気大気放出管に設けられた補助蒸気量調節弁およびサイレンサとをさらに備え、
前記制御装置は、ガスタービンの昇速が開始される前に当該ガスタービンが自立運転できる回転数まで軸を昇速するために前記低圧蒸気タービンに必要な蒸気量を前記起動用ボイラに発生させ、かつ当該起動用ボイラが発生させた蒸気を前記大気放出管および補助蒸気量調節弁を介して大気に放出させておき、昇速の過程で前記低圧主蒸気加減弁を介して前記低圧蒸気タービンに供給される蒸気量が前記回転数まで軸を昇速するのに必要な前記蒸気量と等しくなるように前記補助蒸気量調節弁の流量制御を行うことを特徴とする請求項２記載の一軸型複合サイクル発電プラント。
【請求項６】
前記排熱回収ボイラは、前記高圧蒸気よりも低く前記低圧蒸気よりも高い圧力の中圧蒸気を発生させる中圧ドラムおよび高温再熱蒸気を発生させる再熱器をさらに備えるとともに、前記高圧蒸気タービンからの排気蒸気を前記中圧蒸気と合流させて前記再熱器に供給する低温再熱配管と、前記高圧蒸気タービンおよび前記低圧蒸気タービンと同軸に配置され、前記再熱器からの高温再熱蒸気により駆動される中圧蒸気タービンと、をさらに備え、前記中圧蒸気タービン内で仕事をして圧力の低下した前記高温再熱蒸気が前記低圧蒸気と前記低圧主蒸気加減弁の上流側で前記低圧タービン蒸気供給配管に合流するよう構成されたことを特徴とする請求項２乃至５のいずれかに記載の一軸型複合サイクル発電プラント。
【請求項７】
前記低温再熱蒸気系統には、前記ガスタービンの高温部を冷却するための冷却蒸気系統が設けられることを特徴とする請求項６に記載の一軸型複合サイクル発電プラント。
【請求項８】
前記ガスタービンの着火後、当該ガスタービンの燃料流量が保炎を保つ最低必要量の燃料流量から上昇を開始する時点よりも前に、前記低圧蒸気タービンに必要な補助蒸気量が確保できる弁開度に到達するように前記低圧主蒸気加減弁を開弁させることを特徴とする請求項２乃至７のいずれかに記載の一軸型複合サイクル発電プラント。
【請求項９】
前記低圧蒸気タービンに必要な補助蒸気の流量は、前記ガスタービンの昇速に際し必要となる低圧蒸気タービンの駆動トルクのうち、最大の駆動トルクを発生させるために必要な流量であることを特徴とする請求項２乃至８のいずれかに記載の一軸型複合サイクル発電プラント。
【請求項１０】
起動時に前記ガスタービンが前記燃焼ガスによる自立運転ができる回転数までガスタービンを昇速させる際に、前記制御手段は、前記起動時補助蒸気供給配管から前記低圧タービン蒸気供給配管へ供給する前記補助蒸気の圧力を、予め定めた第１の圧力と当該第１の圧力より低い第２の圧力の少なくとも２つの圧力に切替える補助蒸気圧力切替制御手段を備えることを特徴とする請求項２乃至９のいずれかに記載の一軸型複合サイクル発電プラント。
【請求項１１】
前記第１の圧力は、前記ガスタービンの昇速に際し必要となる低圧蒸気タービンの最大駆動トルクを発生させるための補助蒸気の流量が前記低圧主蒸気加減弁に流入しても当該低圧主蒸気加減弁が全開しないような圧力とし、前記第２の圧力は、前記低圧蒸気と前記補助蒸気の両方が低圧主蒸気加減弁を介して低圧蒸気タービンに供給できる圧力としたことを特徴とする請求項１０記載の一軸型複合サイクル発電プラント。
【請求項１２】
前記補助蒸気圧力切替制御手段は、前記ガスタービンの燃料パージ運転および着火操作を行うとき前記補助蒸気の圧力を前記第１の圧力に調整し、前記ガスタービンの回転数を当該ガスタービンの昇速のために前記低圧蒸気タービンに最大の駆動トルクが必要となる回転数より高く、かつ、前記ガスタービンが燃焼ガスによる自立運転ができる回転数より低い回転数のとき前記補助蒸気の圧力を前記第１の圧力から前記第２の圧力に切替えることを特徴とする請求項１０または１１記載の一軸型複合サイクル発電プラント。
【請求項１３】
ガスタービンの着火を伴わず軸を所定の回転数に昇速する非着火昇速運転を選択するための切替手段を備えたことを特徴とする請求項３または４記載の一軸型複合サイクル発電プラント。
【発明の詳細な説明】
【技術分野】
【０００１】
本発明は、一軸型複合サイクル発電プラントの起動方法に係り、特に、排熱回収ボイラとは別の蒸気源から供給される蒸気で蒸気タービンに回転トルクを発生させて起動を行うようにした一軸型複合サイクル発電プラントの起動方法および一軸型複合サイクル発電プラントに関する。
【背景技術】
【０００２】
複合発電プラントは、ガスタービンの排熱ガスを排熱回収ボイラに導入して高温高圧蒸気を発生させ、この蒸気を蒸気タービンの駆動源とした発電プラントである。ガスタービンは燃焼ガスにより駆動されるものであるが、ガスタービン圧縮機を同軸上に設けたガスタービンにおいては、ガスタービン自体がガスタービン圧縮機の駆動に必要なトルクを上回るトルクを発生する回転数に到達して自立運転が可能な回転数になるまで、すなわち、ターニング運転に始まり、パージ運転およびガスタービン点火後の所定回転数までの間は、補助的な起動装置によって駆動する必要がある。
【０００３】
ところで、ガスタービン、ガスタービン圧縮機、蒸気タービンおよび発電機を軸継手により一軸上に連結してなる一軸型複合発電プラントにおいて、軸（ガスタービン、ガスタービン圧縮機、蒸気タービンおよび発電機を総称して「軸」という）の起動方式には、従来よりクランキング電動機およびトルクコンバータによって駆動する方式、発電機を同期電動機としてサイリスタ等の半導体素子で構成した静止型起動装置（Load Commuted Inverterとも言う）により起動する方式、さらには、発電所内の補助蒸気ボイラから供給される蒸気で蒸気タービンを駆動する方式等が採用されてきた（例えば、特許文献１参照）。
【０００４】
そして、発電所内の補助蒸気ボイラから供給される蒸気で蒸気タービンを駆動する方式の一例として、最近ではパッケージボイラから供給される蒸気を高圧蒸気タービンに供給してガスタービンの自立運転が可能な回転数まで起動・昇速する起動方式も提案されている（例えば、特許文献２参照）。
【先行技術文献】
【特許文献】
【０００５】
【特許文献１】特開平８−８６２２７号公報
【特許文献２】特開平１１−３３６５１０号公報
【発明の概要】
【発明が解決しようとする課題】
【０００６】
ところで、発明者らは上記特許文献２に記載されている一軸型複合発電プラントの高圧蒸気タービン起動方式を検討した結果、以下述べるような課題が新たに生ずることがわかった。
【０００７】
まず第１の課題は、発電所の設備費が高騰して経済的に見合わないということである。
一般的に、一軸型複合サイクル発電プラントにおける補助蒸気の使用先は、蒸気タービングランドシール用、復水脱気用あるいは低圧蒸気タービンクーリング用であり、また、これらの使用先での適正エンタルピー並びに制御性等を考慮して、補助蒸気の圧力および温度を０．７［Ｍｐａ］、２２０［℃］程度とするのが一般的である。
【０００８】
プラントの経済性の観点から言えばパッケージボイラ蒸気の圧力および温度を低くすることが望ましいが、特許文献２のように高圧蒸気タービンへ補助蒸気を導入して一軸型複合サイクル発電プラントを起動しようとする場合、より高圧高温の補助蒸気が必要となりその結果、その他の使用先で使用する場合、補助蒸気を減圧減温することが必要となり、減圧装置、減温装置を発電所に設置するということは設備費の高騰を招くことになり、経済的に見合わない。
【０００９】
また、高圧蒸気タービンの入口にはプラント定格運転時に全開となる高圧主蒸気加減弁を装備しているが、この弁は高温高圧で大流量の蒸気を制御する設計仕様となっているため、一軸型複合サイクル発電プラントを起動する際の小流量蒸気を制御するには適さない。このため、特許文献２記載の起動方式を一軸型複合サイクル発電プラントで実現するためには、プラント定格運転時に使用される高圧主蒸気加減弁とは別に起動時専用の圧力調節弁を追加する必要があり、この点から言っても経済的に見合わない。
【００１０】
また、第２の課題は、ガスタービン高温部の冷却方式に蒸気冷却方式を適用することが困難になるということである。  
最新のガスタービンでは、入口温度を高温化してプラント熱効率向上を図るために、ガスタービンの高温部である静翼や動翼を冷却する媒体として空気を使用する空気冷却方式に代って熱伝達率に優れた蒸気を使用する蒸気冷却方式が採用されるようになってきた。この蒸気冷却方式のガスタービンを一軸型複合サイクル発電プラントの構成機器とした場合、上記特許文献２の起動方式で起動することは非常に困難を極めることがわかった。
【００１１】
すなわち、蒸気冷却方式を採用した一軸型複合サイクル発電プラントの場合、高圧蒸気タービンの排気蒸気が冷却媒体としてガスタービン冷却ユニットに送られ、ここからさらにガスタービンの高温部に送られるように系統構成がなされる。プラントの起動初期段階（起動、昇速を含む）では、ガスタービンの冷却方式は未だ高圧蒸気タービンに蒸気が通気されていないため空気冷却モードになっており、このためガスタービン冷却ユニットにはガスタービン圧縮機からの吐出空気が供給され、これによってガスタービンの冷却を行うことになる。なお、その後、プラントの起動過程の進行に伴って排熱回収ボイラに発生した蒸気が高圧蒸気タービンに通気されて高圧蒸気タービンの排気蒸気が発生するようになると、冷却ユニットの冷却媒体は圧縮機の吐出空気から高圧蒸気タービンの排気蒸気に置換されて蒸気冷却が実現する。
【００１２】
しかし、空気冷却モードであるプラント起動初期の段階では、ガスタービン圧縮機の吐出空気圧力は０．７［Ｍｐａ］〜０．９［Ｍｐａ］程度の圧力を有しており、一方、補助蒸気の圧力蒸気条件は経済性等の観点から０．７［Ｍｐａ］程度で使用される場合がほとんどである。
【００１３】
もし仮に蒸気冷却方式を採用した一軸型複合サイクル発電プラントの起動方式に、特許文献２に記載されているような高圧蒸気タービン起動方法を適用した場合、高圧蒸気タービンの排気部は、ガスタービン圧縮機の吐出空気によって０．７［Ｍｐａ］〜０．９［Ｍｐａ］程度の圧力に保持されているため、０．７［Ｍｐａ］の圧力に保持された補助蒸気を高圧主蒸気加減弁１４の上流に供給しても圧力関係が逆転した状態では補助蒸気は高圧蒸気タービン３Ｈに流入させること（すなわち、通気させること）ができず、したがって起動装置として機能することは不可能である。
【００１４】
むろん、補助蒸気の圧力を高圧にすれば問題は緩和されるが、前述したように、一般に高圧の蒸気を供給する補助ボイラは高価であり、また高圧化は必然的に蒸気温度の高温化を招来することから、多目的に利用される補助蒸気のその他使用先（例えば、前述したグランド蒸気や、脱気蒸気等）に減圧装置、減温装置の設置が必要になること等を考慮すると０．７［Ｍｐａ］を大きく上回る高圧の補助蒸気を採用することは非現実的である。
【００１５】
さらに、第３の課題は、ＤＳＳ（Ｄａｉｌｙ Ｓｔａｒｔ ＆ Ｓｔｏｐ）運用時のホット起動の場合に、高圧蒸気タービンのメタル温度と補助蒸気温度との間に逆ミスマッチ現象が起こるということである。
【００１６】
蒸気冷却方式の一軸型複合サイクル発電プラントだけでなく空気冷却方式を採用した一軸型複合サイクル発電プラントにも共通することではあるが、一軸型複合サイクル発電プラントは、短時間での起動・停止が可能であるため１日単位で運転の停止と再開を行うＤＳＳ対応を特徴としている。ホット起動すなわち、タービン停止後の比較的短時間内に再起動する場合、メタル温度は約４００［℃］〜５００［℃］まで低下しているが、０．７［Ｍｐａ］の圧力に保持されている補助蒸気の温度は約２３０［℃］程度しかない。
【００１７】
したがって、この状態では流入する補助蒸気温度よりもメタル温度の方が高い、いわゆる逆ミスマッチ状態となっている。もし、この逆ミスマッチ状態でホット起動を実施すれば蒸気タービンを破損する虞がある。したがって、ホット起動には高圧蒸気タービン起動方法は不向きである。これは容易なＤＳＳ対応を特長とする一軸型複合サイクル発電プラントにとっては致命的ともいえる運用制限を負うことになる。
【００１８】
そこで本発明は、上記の課題に鑑みて、高圧蒸気タービンに替わり、補助蒸気を低圧加減弁を経由して低圧蒸気タービンに供給して駆動することにより、ガスタービンが自立運転できる回転数まで昇速制御するようにした一軸型複合サイクル発電プラントの起動方法および一軸型複合サイクル発電プラントを提供することを目的とするものである。
【課題を解決するための手段】
【００１９】
上記の目的を達成するために、請求項１に係る発明は、燃焼ガスにより駆動され、排気ガスを排出するガスタービンと、前記ガスタービンからの排気ガスを熱源として、高圧蒸気を発生させる高圧ドラムおよび前記高圧蒸気よりも低い圧力の低圧蒸気を発生させる低圧ドラムを含む排熱回収ボイラと、前記ガスタービンと同軸に配置されるとともに、前記高圧ドラムから送気され高圧蒸気加減弁を通過する高圧蒸気によって駆動される高圧蒸気タービンと、前記高圧蒸気タービンと同軸に配置された低圧蒸気タービンと、前記低圧蒸気タービン同軸に配置された発電機と、低圧主蒸気加減弁を備えるとともに前記低圧ドラムからの前記低圧蒸気を、低圧主蒸気加減弁を介して前記低圧蒸気タービンに供給する低圧タービン蒸気供給配管と、補助蒸気を発生する起動用ボイラと、前記起動用ボイラと前記低圧タービン蒸気供給配管の前記低圧主蒸気加減弁の上流部との間を接続するとともに、起動時に補助蒸気を供給する起動時補助蒸気供給配管と、前記起動時補助蒸気供給配管から前記低圧タービン蒸気供給配管に供給される蒸気量を調節する補助蒸気量調節弁と、を備えた一軸型複合サイクル発電プラントの起動方法において、前記ガスタービンが起動開始時点から燃焼ガスによる自立運転ができる回転数に到達する迄の間、前記補助蒸気量調節弁の弁開度を調節して前記起動用ボイラからの補助蒸気を、前記低圧タービン蒸気供給系統を経て前記低圧蒸気タービンに供給することにより当該低圧蒸気タービンに駆動力を発生させ、前記ガスタービン、高圧蒸気タービン、低圧蒸気タービンおよび発電機を一体的に昇速制御するようにしたことを特徴とする。
【００２０】
また、請求項２に係る発明は、燃焼ガスにより駆動され、排気ガスを排出するガスタービンと、前記ガスタービンからの排気ガスを熱源として、高圧蒸気を発生させる高圧ドラムおよび前記高圧蒸気よりも低い圧力の低圧蒸気を発生させる低圧ドラムを含む排熱回収ボイラと、前記ガスタービンと同軸に配置されるとともに、前記高圧ドラムから送気され高圧蒸気加減弁を通過する高圧蒸気によって駆動される高圧蒸気タービンと、前記高圧蒸気タービンと同軸に配置された低圧蒸気タービンと、前記低圧蒸気タービン同軸に配置された発電機と、低圧主蒸気加減弁を備えるとともに前記低圧ドラムからの前記低圧蒸気を、低圧主蒸気加減弁を介して前記低圧蒸気タービンに供給する低圧タービン蒸気供給配管と、補助蒸気を発生する起動用ボイラと、前記起動用ボイラと前記低圧タービン蒸気供給配管の前記低圧主蒸気加減弁の上流部との間を接続するとともに、起動時に補助蒸気を供給する起動時補助蒸気供給配管と、前記起動時補助蒸気供給配管から前記低圧タービン蒸気供給配管に供給される蒸気量を調節する補助蒸気量調節弁と、前記ガスタービンが起動開始時点から燃焼ガスによる自立運転ができる回転数に到達する迄の間、前記補助蒸気量調節弁の弁開度を調節して前記起動用ボイラからの補助蒸気を、前記低圧タービン蒸気供給配管を経て前記低圧蒸気タービンに供給することにより当該低圧蒸気タービンに駆動力を発生させ、前記ガスタービン、高圧蒸気タービン、低圧蒸気タービンおよび発電機を一体的に昇速制御する制御装置と、を備えたことを特徴とする。
【発明の効果】
【００２１】
本発明によれば、ガスタービンの空気冷却方式あるいは蒸気冷却方式に係わりなく、全ての一軸型複合サイクル発電プラントにおいて好適な蒸気起動方法を提供することが可能となる。
【図面の簡単な説明】
【００２２】
【図１】本発明の実施形態１に係る一軸型複合サイクル発電プラントの主要部を示す系統図。
【図２】本発明の実施形態１の起動制御装置に設けられた低圧主蒸気加減弁用制御回路の一例を示す構成図。
【図３】本発明の実施形態１の起動制御装置に設けられた補助蒸気量調節弁用制御回路の一例を示す構成図。
【図４】ガスタービンの起動昇速過程における軸回転数に対する燃料流量および軸トルクの関係を示す特性図。
【図５】図２の低圧主蒸気加減弁用制御回路の変形例を示す構成図。
【図６】本発明の実施形態２に係る一軸型複合サイクル発電プラントの主要部を示す系統図。
【図７】本発明の実施形態３に係る一軸型複合サイクル発電プラントの主要部を示す系統図。
【図８】本発明の実施形態４に係る一軸型複合サイクル発電プラントの主要部を示す系統図。
【図９】本発明の実施形態４および５の起動制御装置に設けられた低圧主蒸気加減弁および補助蒸気量調節弁の制御回路の一例を示す図。
【図１０】本発明の実施形態５に係る一軸型複合サイクル発電プラントの主要部を示す系統図。
【発明を実施するための形態】
【００２３】
以下、図面を参照して本発明の各実施形態について説明する。  
なお、各実施形態の図において共通する要素には同一符号を付け、重複する説明は適宜省くものとする。
【００２４】
（実施形態１）
図１は、本発明の実施形態１に係る一軸型複合サイクル発電プラントの主要部を示す系統図であり、図２および図３は、それぞれ本実施形態１に係る一軸型複合サイクル発電プラントの起動制御装置（図示せず）に設けられた低圧主蒸気加減弁用制御回路構成図および補助蒸気量調節弁用制御回路構成図である。図４は、ガスタービン１の起動昇速における燃料流量と回転数の関係を示す特性図である。
【００２５】
まず、図１を参照して本実施形態１に係る一軸型複合サイクル発電プラントの系統構成について説明する。
【００２６】
１はガスタービン（ＧＴと表記）、２はガスタービン圧縮機（ＣＯＭＰと表記）、３は高圧蒸気タービン３Ｈと低圧蒸気タービン３Ｌとから構成された蒸気タービン、４は発電機であり、それぞれの回転軸が軸継手により一軸上に結合されている。ここで、一軸上に結合されたガスタービン１、ガスタービン圧縮機２、高圧蒸気タービン３Ｈ、低圧蒸気タービン３Ｌおよび発電機４の回転部分を、「軸」５と称する。したがって、軸５の回転数は、同軸上に連結されているガスタービン１の回転数、あるいは蒸気タービン３の回転数と同じ意味である。
【００２７】
前記ガスタービン圧縮機２から吐出された高圧高温の圧縮空気は燃焼器６に送られ、ここで燃料を燃焼させて燃焼ガスを発生させる。発生した燃焼ガスはガスタービン１に導入されて断熱膨張することによってガスタービン１を回転駆動する。なお、燃焼器６に供給される圧縮空気の量はガスタービン圧縮機２の入口側に設けた入口案内弁（いわゆる、ＩＧＶ）７の弁開度を調節することによって制御されるようになっている。
【００２８】
そして、前記ガスタービン１から排気された排気ガスＥＧは、２圧式に構成された排熱回収ボイラ（ＨＲＳＧと表記）８Ａに導入されて、高圧ドラム９に接続された高圧過熱器１０、低圧ドラム１１に接続された低圧過熱器１２および図示していないが、これら高圧ドラム９、低圧ドラム１１にそれぞれ接続された蒸発器、節炭器等の熱交換器で給水や蒸気と熱交換した後に煙突を経て大気中に放散されるようになっている。
【００２９】
排熱回収ボイラ８Ａの高圧ドラム９で発生した高圧蒸気は、高圧過熱器１０で過熱された後、高圧主蒸気管１３を通って高圧主蒸気加減弁１４に至り、この高圧主蒸気加減弁１４で圧力を調整された後、高圧主蒸気加減弁リード管１４Ｌを経て高圧蒸気タービン３Ｈに導入される。そして、ここで断熱膨張により動翼を回転駆動した後排気され、低圧蒸気配管１５を経て低圧蒸気タービン３Ｌに導入される。
【００３０】
一方、低圧ドラム１１で発生した低圧蒸気は、低圧過熱器１２で過熱された後、低圧主蒸気管１６およびその途中に設けられている低圧蒸気アイソレーション弁１７を経て低圧主蒸気加減弁１８に至り、この低圧主蒸気加減弁１８で圧力を制御された後、低圧主蒸気加減弁リード管１８Ｌを経て前記低圧蒸気タービン３Ｌに導入されるようになっている。
【００３１】
前記低圧蒸気アイソレーション弁１７は、低圧過熱器１２で過熱された低圧蒸気の温度および圧力が所定の条件になると開弁するように機能するもので、例えば電動弁で構成されている。
【００３２】
図１では、低圧主蒸気加減弁１８を通過した低圧蒸気を低圧主蒸気加減弁リード管１８Ｌにより直接低圧蒸気タービン３Ｌに導入するように配管構成したが、低圧主蒸気加減弁１８を通過した低圧蒸気を、破線で示す低圧主蒸気加減弁リード管１８Ｌａによって高圧蒸気タービン３Ｈの途中段（排気部の近傍）に導入するように配管構成を変更してもよい。このように変更した場合でも、低圧主蒸気加減弁１８を通過する蒸気量は高圧蒸気タービン３Ｈではほとんどトルクを発生することはない。
【００３３】
なお、低圧過熱器１２で過熱された低圧蒸気が、低圧主蒸気管１６、低圧主蒸気加減弁１８、低圧主蒸気加減弁リード管１８Ｌ等を経て低圧蒸気タービン３Ｌに至る蒸気系統、または、低圧過熱器１２で過熱された低圧蒸気が、低圧主蒸気管１６、低圧主蒸気加減弁１８、破線で示した低圧主蒸気加減弁リード管１８Ｌａ、高圧蒸気タービン３Ｈのケーシングおよび低圧蒸気配管１５を経て低圧蒸気タービン３Ｌに至る蒸気系統を、本発明では便宜上低圧タービン蒸気供給系統と称する。
【００３４】
そして、低圧蒸気タービン３Ｌの内部では、高圧タービン３Ｈで膨張仕事を終えて低圧蒸気配管１５を経て導入された蒸気と、低圧主蒸気管１６から低圧主蒸気加減弁１８、低圧主蒸気加減弁リード管１８Ｌを経て低圧蒸気タービン３Ｌに導入された蒸気とが合流し、合流した蒸気の断熱膨張により動翼を回転駆動したあと復水器１９内に排気され、ここで循環水ポンプ２０によって送り込まれた冷却水と熱交換し、凝縮して復水となる。
【００３５】
復水は、図示しない復水ポンプによって給水ポンプ２１に送られ、給水ポンプ２１で加圧されて前記排熱回収ボイラ８Ａ内の低圧ドラム１１に送られる。  
このようにして、一軸型複合サイクル発電プラントではガスタービン１が燃焼ガスの断熱膨張により軸５に駆動力を与え、高圧蒸気タービン３Ｈおよび低圧蒸気タービン３Ｌが蒸気の断熱膨張により軸５に駆動力を与え、共に発電機４を駆動して電力を発生させる。
【００３６】
２２は起動用ボイラであり、一軸型複合サイクル発電プラントの起動時には、蒸気圧力が約０．７［Ｍｐａ］の補助蒸気を発生するように構成されている。この起動用ボイラ２２は補助蒸気供給主管２３および同管２３から分岐した補助蒸気供給分岐管２４からなる「補助蒸気供給配管」を介して、前記低圧蒸気アイソレーション弁１７および低圧主蒸気加減弁１８間の部位の低圧主蒸気管１６に接続されている。
【００３７】
２５は補助蒸気供給分岐管２４の途中に設けられた補助蒸気量調節弁であり、一軸型複合サイクル発電プラントの起動時に補助蒸気量を調節して低圧主蒸気加減弁１８に供給するように機能する。
【００３８】
上記のように一軸型複合サイクル発電プラントの蒸気配管が接続されていることで、起動用ボイラ２２から出力される約０．７［Ｍｐａ］の補助蒸気は、低圧主蒸気加減弁１８の上流部側で低圧蒸気アイソレーション弁１７を通過した低圧蒸気と合流する。
【００３９】
ここで、起動用ボイラ２２、補助蒸気供給主管２３、補助蒸気供給分岐管２４および同分岐管２４に接続された補助蒸気量調節弁２５によって構成され、起動用ボイラ２２からの補助蒸気を低圧主蒸気加減弁１８の上流部に供給する蒸気系統を便宜上、起動時補助蒸気供給配管２６と称する。
【００４０】
前記起動用ボイラ２２は、燃焼設備を有する通常の汽缶型ボイラを想定したものであるが、これ以外に蒸気を発生させ得る手段として運転中の既設発電ユニットが発電のために発生させる蒸気の一部を流用するプラント形態もあり、本発明は何れの形態でも適用可能である。また、補助蒸気量調節弁２５は空気を駆動源とし、補助蒸気の圧力を調節する調節弁を想定しているが、圧力の調整と補助蒸気遮断の両機能を備えた電動弁で構成してもよい。
【００４１】
なお、図中２７は軸５の軸回転数、すなわちガスタービン１の軸回転数を検出する回転数検出器であり、発電機４の近傍に設置されている。また、２８は低圧ドラム１１の蒸気圧力を検出する圧力検出器である。２９は低圧主蒸気加減弁１８を通過する蒸気流量を検出する流量検出器（流量トランスミッタ）であり、低圧主蒸気加減弁１８の上流部側で、かつ、補助蒸気との合流点よりも下流に設置されている。３０は起動時補助蒸気供給配管２６の補助蒸気供給分岐管２４に設けられ、補助蒸気量調節弁２５を通過する補助蒸気の圧力を検出する補助蒸気圧力検出器である。
【００４２】
次に、図２を参照して一軸型複合サイクル発電プラントの起動制御装置（図示せず）に設けられた低圧主蒸気加減弁用制御回路の構成について説明する。  
図２において、１０１はガスタービン１の通常起動用の回転数設定器であり、同設定器中に概略特性を示しているようにガスタービン１の回転数が、起動開始時点（０）からパージ回転数、着火回転数を経てガスタービン自立回転数に到達するまでの昇速過程において、経過時間ごとに要求される回転数設定値１０１ｓとなるように予めプログラムされている。
【００４３】
１０２は減算器であり、回転数設定値１０１ｓと回転数検出器２７により検出された軸５、すなわちガスタービン１の軸回転数２７ｓとを入力し、回転数設定値１０１ｓからガスタービン１の軸回転数２７ｓを減算して偏差１０２ｓを出力する。
【００４４】
１０３はＰＩコントローラであり、減算器１０２から出力された偏差１０２ｓを入力して軸５、すなわちガスタービン１の軸回転数２７ｓが回転数設定値１０１ｓと等しくなるように比例積分演算（ＰＩ演算）し、その演算結果を指令１０３ｓとして出力する。
【００４５】
１０４は２つの入力端子（イ）、（ロ）に印加される信号のいずれかを選択して出力端子（ハ）から出力する第１の切替器であり、ＰＩコントローラ１０３からの指令１０３ｓを第１の入力端子（イ）に入力し、後述するＰＩコントローラ１１６からの指令１１６ｓを第２の入力端子（ロ）に入力する。そして、軸５に起動開始指令が出されると、実線のように端子（イ）−（ハ）を接続してＰＩコントローラ１０３からの指令１０３ｓを指令１０４ｓとして出力し、後述する比較器１０８から切替指令１０８ｓが出されているときは破線のように入力端子の切替えを行って端子（ロ）−（ハ）を接続してＰＩコントローラ１１６の指令１１６ｓを指令１０４ｓとして出力する。
【００４６】
１０５は変化率リミッタであり、第１の切替器１０４から出力された指令１０４ｓ、すなわち指令１０３ｓあるいは指令１１６ｓが急激に変化したとしても、予め設定してある変化率１１８ｓ以上の早い変化レートにならないように制限して変化率制限信号１０５ｓとして出力する。
【００４７】
１０６は上限リミッタであり、前段に設けられた変化率リミッタ１０５から出力された変化率制限信号１０５ｓの大きさが後述する比較器１１９から出された増加停止指令１１９ｓよりも小さいときは入力した変化率制限信号１０５ｓの大きさのまま低圧主蒸気加減弁１８の弁開度指令１０６ｓとして出力し、入力した変化率制限信号１０５ｓの大きさが制限値（後述するように、増加停止指令と同意）１１９ｓ以上のときは出力する弁開度指令１０６ｓの大きさを制限値１１９ｓに制限し、低圧主蒸気加減弁１８の弁開度指令１０６ｓとして出力する。  
なお、以上述べた変化率リミッタ１０５および上限リミッタ１０６のより具体的な説明については、後で改めて述べる。
【００４８】
１０７はガスタービン１の自立回転数を設定する自立回転数設定器である。１０８は比較器であり、ガスタービン１の自立回転数設定器１０７に設定された設定値１０７ｓとガスタービン１の回転数検出器２７で検出された軸回転数２７ｓとを比較し、軸回転数２７ｓが自立回転数設定値１０７ｓ以上になったときに、前記第１の切替器１０４に対して切替指令１０８ｓを出すことによって、前述したように端子（イ）−（ハ）の接続を端子（ロ）−（ハ）の接続に切替える。
【００４９】
一方、１１３は冷却蒸気流量設定器であり、ガスタービン１が自立回転数設定値１０７ｓ以上で回転している「流量制御運転時」に低圧蒸気タービン３Ｌの冷却蒸気として必要な蒸気流量を設定している。１１５は減算器であり、冷却蒸気流量設定器１１３に設定されている冷却蒸気流量設定値１１３ｓと前記蒸気流量検出器２９で検出された低圧主蒸気加減弁１８を通過する蒸気流量２９ｓとを入力し、冷却蒸気流量設定値１１３ｓから蒸気流量２９ｓを減算して偏差１１５ｓを出力する。
【００５０】
１１６はＰＩコントローラであり、減算器１１５から出力された偏差１１５ｓを比例積分演算（ＰＩ演算）して指令１１６ｓとして前記第１の切替器１０４の第２の入力端子（ロ）に出力する。１１８は前記変化率リミッタ１０５の変化率設定値１１８ｓを設定する変化率設定器である。
【００５１】
１１９は比較器であり、低圧主蒸気加減弁１８を通過する蒸気流量の検出信号２９ｓと、後述する必要流量設定値１２０ｓとを比較し、検出信号２９ｓが必要流量設定値１２０ｓ以上になると、低圧主蒸気加減弁１８の弁開度がこれまでの弁開度よりも増加しないように停止指令１１９ｓを出力する。１２０は補助蒸気流量設定器であり、ガスタービン１の昇速運転過程で必要となる低圧蒸気タービン３Ｌの駆動トルクのうち、最大の駆動トルクを発生させるために必要な補助蒸気流量を設定値１２０ｓとして設定してある。
【００５２】
次に、図３を参照して一軸型複合サイクル発電プラントの起動制御装置（図示せず）に設けられた補助蒸気量調節弁用制御回路の構成について説明する。  
図３において、２０１は圧力設定値２０１ｓ（以下、第１の圧力指令２０１ｓという）を設定した蒸気圧力設定器であり、この第１の圧力指令２０１ｓを出力して後述する第２の切替器２０３の一方の入力端子（イ）に入力する。
【００５３】
２０７はバイアス圧力設定値を設定したバイアス圧力設定器であり、そのバイアス圧力設定値２０７ｓを加算器２０８の一方の入力端子に出力する。  
加算器２０８はこのバイアス圧力設定値２０７ｓと圧力検出器２８で検出された低圧ドラム１１の圧力２８ｓとを加算し、その加算結果２０８ｓを出力する。２０２は加算器２０８の出力２０８ｓを常時入力するように構成され、ガスタービン１が着火した瞬間に入力した前記加算結果２０８ｓを記憶する記憶器であり、この記憶している圧力値２０２ｓ（以下、第２の圧力指令という）を前記第２の切替器２０３の他方の入力端子（ロ）に出力する。
【００５４】
なお、第１の圧力指令値２０１ｓおよび第２の圧力指令値２０２ｓの詳細については、後に改めて説明することとし、ここでは概念説明にとどめる。
【００５５】
第１の圧力指令２０１ｓの値とは、ガスタービン１の昇速に際し必要となる低圧蒸気タービン３Ｌの最大駆動トルクを発生させるための補助蒸気流量が低圧主蒸気加減弁１８に流入しても当該低圧主蒸気加減弁が全開しないような圧力であり、また、第２の圧力指令２０２ｓの値とは、低圧蒸気と補助蒸気の両方が低圧主蒸気加減弁１８を介して低圧蒸気タービン３Ｌに供給できる圧力である。
【００５６】
２１０は、例えばガスタービン１の回転数が低圧蒸気タービン３Ｌに最大の駆動トルクが必要となる回転数、例えば定格速度の５５％速度よりも高く、かつ、ガスタービン１の自立回転数よりも低い値を有する切替回転数設定値２１０ｓを有する設定器であり、その設定値２１０ｓを比較器２１１に入力する。比較器２１１は回転数検出器２７で検出された軸５（ガスタービン１）の軸回転数２７ｓが切替回転数設定値２１０ｓになったとき、前記第２の切替器２０３に対して切替指令２１１ｓを出力する。
【００５７】
２０３は、前述した第１の切替器１０４と同様に２つの入力端子（イ）または（ロ）に印加される信号のいずれか一方を選択して出力端子（ハ）から出力するように構成された第２の切替器であり、軸５（ガスタービン１）が起動開始するときは第１の切替器１０４と同様に実線のように端子（イ）−（ハ）を接続して蒸気圧力設定器２０１の第１の圧力指令２０１ｓを出力指令２０３ｓとして端子（ハ）から出力し、後述する比較器２１１からの切替指令２１１ｓが出されているときは入力端子の切替えを行って端子（ロ）−（ハ）を接続して記憶器２０２に記憶されている第２の圧力指令２０２ｓを出力指令２０３ｓとして端子（ハ）から出力する。
【００５８】
２０４は第２の切替器２０３によって選択出力された圧力指令２０３ｓと、起動時補助蒸気供給配管２６の補助蒸気供給分岐管２４に設けられた蒸気圧力検出器３０で検出された補助蒸気圧力値３０ｓとを入力し、圧力指令２０３ｓから圧力検出値３０ｓを減算してその偏差２０４ｓを出力する減算器である。
【００５９】
２０５は偏差２０４ｓを入力して補助蒸気圧力値３０ｓが圧力指令２０３ｓと等しくなるように比例積分演算（ＰＩ演算）し、その演算結果を補助蒸気量調節弁２５の弁開度指令２０５ｓとして出力するＰＩコントローラである。
【００６０】
以上で本実施形態１に係る一軸型複合サイクル発電プラントの系統構成、および起動制御装置の制御回路構成について説明したので、次に、一軸型複合サイクル発電プラントの起動時における低圧主蒸気加減弁１８および補助蒸気量調節弁２５の開弁制御について説明する。
【００６１】
図１乃至図４において、一軸型複合サイクル発電プラントに起動指令が出力された時点では第１の切替器１０４および第２の切替器２０３は実線のように端子（イ）−（ハ）を接続した状態になっている。また、補助蒸気量調節弁２５および低圧主蒸気加減弁１８は全閉状態になっており、軸５（ガスタービン１）は回転していない。
【００６２】
このとき、図３の補助蒸気量調節弁制御回路において、第２の切替器２０３は蒸気圧力設定器２０１の第１の圧力指令２０１ｓを指令２０３ｓとして出力する。減算器２０４は、第１の圧力指令２０３ｓから補助蒸気の圧力検出値３０ｓを減算して偏差２０４ｓを出力するのであるが、一軸型複合サイクル発電プラントに起動指令が出た時点では、補助蒸気量調節弁２５の下流で検出される補助蒸気圧力３０ｓはゼロなので、ＰＩコントローラ２０５には蒸気圧力設定器２０１からの第１の設定値２０１ｓが入力される。そして、ＰＩコントローラ２０５は、補助蒸気が補助蒸気量調節弁２５を通過したときの圧力３０ｓと第１の設定値２０１ｓとが等しくなるように補助蒸気量調節弁２５に弁開度指令２０５ｓを出力する。これにより、補助蒸気量調節弁２５は例えば油圧などによって駆動される図示しない駆動装置によって開弁される。
【００６３】
ＰＩコントローラ２０５は、その後もガスタービン１の軸回転数２７ｓが、例えば５５％速度より高く、ガスタービン１の自立回転数よりも低い値に設定された切替回転数２１０ｓに到達するまでの間、減算器２０４から出力される偏差２０４ｓに応じてＰＩ演算を継続し、補助蒸気量調節弁２５に対して引き続き弁開度指令２０５ｓを出力する。
【００６４】
このように、一軸型複合サイクル発電プラントに起動指令が出力されると、まず補助蒸気量調節弁２５が開弁して起動用ボイラ２２の補助蒸気が、補助蒸気供給主管２３、補助蒸気供給分岐管２４、補助蒸気量調節弁２５を通って低圧主蒸気加減弁１８の上流側の低圧主蒸気管１６に供給される。
【００６５】
一方、図２の低圧主蒸気加減弁制御回路において、一軸型複合サイクル発電プラントに起動指令が出た時点は、前述したように軸回転数２７ｓはゼロなので、減算器１０２からは回転数設定値１０１ｓが偏差１０２ｓとして出力され、これがＰＩコントローラ１０３に入力される。ＰＩコントローラ１０３は、軸５（ガスタービン１）の軸回転数２７ｓが回転数設定値１０１ｓに等しくなるように偏差１０２ｓを比例積分演算（ＰＩ演算）して演算結果１０３ｓを出力する。
【００６６】
なお、起動指令が出た時点では比較器１０８から切替信号１０８ｓは出ていないので、ＰＩコントローラ１０３の演算結果１０３ｓがそのまま、第１の切替器１０４から指令１０４ｓとして出力される。第１の切替器１０４から出力される指令１０４ｓは変化率リミッタ１０５によって変化レートの制限を受けて１０５ｓとなり、さらに上限リミッタ１０６によって上限値の制限を受けて弁開度指令１０６ｓとなって図示しない油圧駆動装置に与えられ、低圧主蒸気加減弁１８の開弁を開始する。
【００６７】
この低圧主蒸気加減弁１８の開弁によって、起動用ボイラ２２からの補助蒸気は、起動時補助蒸気供給配管２６の補助蒸気供給主管２３、補助蒸気供給分岐管２４、補助蒸気量調節弁２５を経て低圧蒸気アイソレーション弁１７下流の低圧主蒸気管１６に供給され、さらに、低圧主蒸気加減弁１８、低圧主蒸気加減弁リード管１８Ｌを通って低圧蒸気タービン３Ｌに供給されるようになる。
【００６８】
前述したように、図２で示す低圧主蒸気加減弁用制御回路に設けられた回転数設定器１０１から出力される回転数設定値１０１ｓは、起動開始時点前はゼロであるが、起動が開始されると時間の経過と共にパージ回転数に向けて比較的ゆっくりしたレートで上昇する。なお、このとき、ガスタービン１はまだ着火運転には至っていないので昇速のレートは遅くても許容される。
【００６９】
ＰＩコントローラ１０３は、軸回転数２７ｓが回転数設定値１０１ｓと等しくなるまで比例積分演算（ＰＩ演算）して指令１０３ｓを出力するので、変化率リミッタ１０５、上限リミッタ１０６を経て出力される弁開度指令１０６ｓは、回転数設定値１０１ｓに追従するように増加する。
【００７０】
これにより、低圧主蒸気加減弁１８は弁開度を制御されながら低圧蒸気タービン３Ｌに補助蒸気を供給し、低圧蒸気タービン３Ｌを回転し始める。すなわち、軸５（ガスタービン１）が回転を始める。
【００７１】
低圧主蒸気加減弁１８は回転数設定値１０１ｓに追従して弁開度を増加させてガスタービン１をパージ回転数まで昇速させる。これによりガスタービン１の燃料パージ運転が開始され、ガスタービン１を着火する前に排気ダクト中の未燃焼燃料を大気に放出する。この燃料パージ運転中は、軸受の振動発生を抑止する目的で回転数設定値１０１ｓを鋸歯状に設定しているため、低圧主蒸気加減弁１８もそれに追従するように弁開度を鋸歯状に増減させる運転、いわゆるウォービュレーション（Wobulation）運転を行う。
【００７２】
この燃料パージ運転が所定時間行われた後、回転数設定器１０１はガスタービン１の着火のために、回転数設定値１０１ｓを一旦低下させて、低圧主蒸気加減弁１８の弁開度を減じて全閉にする。そして、ガスタービン１の軸回転数２７ｓが着火回転数まで低下したところでガスタービン１を着火させる。
【００７３】
回転数設定器１０１は、ガスタービン１が着火した後、回転数設定値１０１ｓをガスタービン自立回転数に向けてステップ状に増加させるので、ＰＩコントローラ１０３は指令１０３ｓを急速に増加させて、低圧主蒸気加減弁１８の弁開度を急激に増加させ、最終的に軸５をガスタービン１が自立運転できる回転数まで昇速させる。これを昇速制御と呼ぶ。
【００７４】
ガスタービン１が自立運転を開始した後は、もはや昇速制御の必要性はないが、低圧蒸気タービン３Ｌの動翼が風損で加熱されて静止部に接触することを防止するために低圧タービン３Ｌに冷却蒸気を供給する必要がある。
【００７５】
ガスタービン１が自立運転を開始すると、軸回転数２７ｓは自立回転数設定器の設定値１０７ｓ以上の大きさになるので、比較器１０８から切替指令１０８ｓが第１の切替器１０４に対し出力される。
【００７６】
切替指令１０８ｓを受けた第１の切替器１０４は、実線で示す端子（イ）−（ハ）の接続状態を破線で示す端子（ロ）−（ハ）の接続状態に切替える。これにより、入力指令をＰＩコントローラ１０３の指令１０３ｓに替えてＰＩコントローラ１１６の指令１１６ｓを選択し、指令１０４ｓとして出力する。  
この結果、低圧主蒸気加減弁１８の制御は、これまでの昇速制御から以下に説明する流量制御に切り替えられる。
【００７７】
冷却蒸気流量設定器１１３に設定されている冷却蒸気流量設定値１１３ｓは、低圧タービン３Ｌの冷却蒸気として必要な流量に設定されている。  
減算器１１５は、低圧タービン３Ｌの冷却蒸気として必要な流量に設定されている冷却蒸気流量設定値１１３ｓから、低圧主蒸気加減弁１８を通過する補助蒸気流量２９ｓを減算し、その偏差１１５ｓをＰＩコントローラ１１６に入力する。
【００７８】
ＰＩコントローラ１１６は、低圧主蒸気加減弁１８を通過する補助蒸気流量２９ｓが低圧タービン３Ｌの冷却蒸気として必要な冷却蒸気流量設定値１１３ｓと等しくなるように偏差１１５ｓを比例積分演算（ＰＩ演算）し、その演算結果を冷却蒸気流量指令１１６ｓとして出力する。この結果、低圧主蒸気加減弁１８を通過する補助蒸気流量２９ｓは低圧タービン３Ｌの冷却蒸気として必要な流量に制御される。
【００７９】
そして、ガスタービン１の運転が「昇速制御」から「流量制御」の運転に移行した後、排熱回収ボイラ８Ａの低圧ドラム１１で発生して低圧過熱器１２で過熱された低圧蒸気が所定の蒸気圧力に到達し飽和蒸気温度以上に十分に過熱され適切な流量および温度になると、低圧蒸気アイソレーション弁１７が図示していない駆動装置により開弁される。この結果、低圧主蒸気加減弁１８上流側の低圧主蒸気管１６の部位で起動用ボイラ２２からの補助蒸気と、低圧過熱器１２からの低圧蒸気との両蒸気が合流して低圧蒸気タービン３Ｌに流入する。
【００８０】
なお、変化率リミッタ１０５と上限リミッタ１０６については、既に図２の構成を説明する際に概念について説明したが、以下で具体的に説明する。  
ガスタービン１の着火以後、回転数設定値１０１ｓがステップ状に上昇するのに対して軸５は大きな慣性を有しているため軸回転数２７ｓを急速に上昇させることはできない。このため、減算器１０２では回転数設定値１０１ｓと軸回転数２７ｓとの偏差１０２ｓは、軸回転数２７ｓがガスタービン自立回転数設定値１０７ｓに到達するまで零ではなく、特に回転数設定値１０１ｓがステップ状に上昇した直後が一番大きく、それから時間の経過とともに減少していく。
【００８１】
このため、偏差１０２ｓを比例積分演算するＰＩコントローラ１０３から出力される指令１０３ｓは回転数設定値１０１ｓがステップ状に上昇した直後に急激に大きな値となって第１の切替器を経て変化率リミッタ１０５に入力される。一方、変化率設定器１１８には上記の変化率よりも小さな変化率１１８ｓが設定値として設定されている。したがって、ＰＩコントローラ１０３から出力される指令１０３ｓが大きな値で急激に増加しても、変化率リミッタ１０５は変化率制限出力１０５ｓが変化率設定値１１８ｓ以上の早い変化レートとならないように制限して指令１０５ｓを出力する。
【００８２】
この結果、ガスタービン１の着火以後、軸回転数２７ｓがガスタービンの自立回転数設定値１０７ｓに到達するまでの期間中、低圧主蒸気加減弁１８は変化率設定値１１８ｓに基づいて開弁されることになる。
【００８３】
そして上限リミッタ１０６により低圧主蒸気加減弁１８の弁開度が必要な蒸気流量を確保できる弁開度に到達したとき、低圧主蒸気加減弁１８の開弁は止まり、それ以上開弁しないように維持される。  
低圧主蒸気加減弁１８を通過する蒸気流量の流量は検出器２９により流量２９ｓとして検知され、比較器１１９に入力される。
【００８４】
一方、補助蒸気流量設定器１２０にはガスタービン１の昇速に際し必要となる低圧蒸気タービン３Ｌによる駆動トルクのうち、最大の駆動トルクを発生させるために必要な補助蒸気流量が設定されている。低圧主蒸気加減弁１８の弁開度が増加するにつれて流れる補助蒸気流量２９ｓも増加する。補助蒸気流量２９ｓが必要流量設定値１２０ｓ以上になったとき、比較器１１９から停止指令１１９ｓが出力されて上限リミッタ１０６の上限値１１９ｓとして入力される。
【００８５】
上限リミッタ１０６は弁開度指令１０６ｓの増加を上限値１１９ｓで停止するように作用する。これより、低圧主蒸気加減弁１８は上述した必要流量１２０ｓを確保する弁開度になったとき、開弁を止めてその弁開度を保持する。
【００８６】
なお、前述した変化率設定値１１８ｓは、ガスタービン１の着火後、ガスタービン１が保炎を保つうえで最低必要量の燃料流量から上昇を開始する時点よりも前に、低圧主蒸気加減弁１８が低圧蒸気タービン３Ｌに必要な補助蒸気量を確保できる弁開度に到達するような値に設定されている。これを以下に説明する。
【００８７】
図４は、ガスタービン１の起動昇速における燃料流量と回転数の関係を示す図である。
【００８８】
ガスタービン１の起動昇速の過程では、その燃料流量は、燃焼を維持し「保炎を保つ最低必要流量」ａと、「必要な加速率を確保するのに要求される流量」ｂとのうち、いずれか高い方の値を選択（すなわち、高値選択）するように構成されている。
【００８９】
ガスタービン１の着火直後から低い軸回転数２７ｓの領域では、前者の燃焼を維持し「保炎を保つ最低必要流量」ａが選択され、その運転がある程度継続した後、昇速過程途中の所定回転数（図４では説明の便宜上、定格速度の「５５％速度」として表示してある）から、今度は「必要な加速率を確保するのに要求される流量」ｂが選択され、「燃料流量」は上昇を開始する。
【００９０】
しかし、仮に変化率設定値１１８ｓの値が不適切に小さいために低圧主蒸気加減弁１８の開弁が遅くなり、５５％速度になってもまだ低圧蒸気タービン３Ｌに期待される駆動トルクを発生できない場合、必要な加速率を確保するための燃料流量の上昇が５５％速度以下の回転数領域から開始されることになる。
【００９１】
燃料流量の上昇が、５５％速度以上の高回転領域（高風量）で行われる場合は問題ないが、上記の如く５５％未満の低回転領域（低風量領域）で開始されると、排ガス温度が高くなりガスタービン１を損傷する等の虞が生じる。
【００９２】
従って、低圧主蒸気加減弁１８は適切な迅速さで開弁させ、低圧蒸気タービン３Ｌに期待される（必要な）駆動トルクが５５％速度に到達する前に発生させるようにすることが求められる。換言すれば、低圧主蒸気加減弁１８の変化率１１８ｓはガスタービン１の燃料流量が「保炎を保つ最低必要量の燃料流量」から上昇を開始する時点よりも前に、低圧主蒸気加減弁１８が低圧蒸気タービン３Ｌに必要な補助蒸気の必要流量を確保できる弁開度に到達するような値とすることが要求される。
【００９３】
次に、変化率設定値１１８ｓと必要流量設定値１２０ｓの具体的な算出例を以下に説明する。  
ガスタービン１の起動昇速における軸トルクと回転数の関係を再び図４を参照して説明する。
【００９４】
ここで言う軸トルクとは、ガスタービン１の外部から供給されることが必要なトルクのことであり、本実施形態１では、起動時に低圧蒸気タービン３Ｌに要求されるトルクを意味する。
【００９５】
ガスタービン圧縮機２は回転数が高いほど吸い込む空気量が大きく、その駆動にはトルクを要するので、図４で示すように、軸トルクは回転数が上昇するにつれて大きくなり、図４の例では５５％速度のときに最大値（説明の便宜上、これを３０［ＫＮ−ｍ］とする）に到達する。この５５％速度以後の軸回転数では、ガスタービン１の燃料が増加してガスタービン１自体に発生するトルクが大きくなるので、軸５に外部から供給する軸トルクは徐々に低下していき、ガスタービン１が自立回転数設定値１０７ｓに到達すると軸トルクは零になる。
【００９６】
低圧蒸気タービン３Ｌに期待される最大の駆動トルク（３０［ＫＮ−ｍ］）を発生するための補助蒸気流量は次のようにして算出できる。すなわち、熱力学上、蒸気タービンとは蒸気が高圧段から低圧段に膨張しながら熱エネルギーをトルクに変換する原理に基づくので、単位流量当りの補助蒸気が復水器の圧力（一般に−９６［ｋＰａ］程度）まで膨張するとき発生するトルク値が求まり、最大の駆動トルクを前記トルク値で除することによって補助蒸気流量が算出される。
【００９７】
説明の便宜上、この補助蒸気流量を１００［ｔ／ｈ］とし、本実施形態１では必要流量設定値１２０ｓを１００［ｔ／ｈ］に設定する。なお、この変形例として、必要流量設定値１２０ｓを１００［ｔ／ｈ］の固定値とする替わりに、図４に示す各回転数で低圧蒸気タービン３Ｌに必要とされる駆動トルクを発生するための補助蒸気量を必要流量設定値１２０ｓとして設定する（回転数による変数とする）方法もある。本実施形態１ではこれら補助蒸気量のうち最大値となる１００［ｔ／ｈ］を設定することで、制御回路の簡素化と合わせて極力早い昇速を実現するようにしたものである。
【００９８】
前記の如く、ガスタービン１の燃料が「保炎を保つ最低必要量」から上昇して「加速率に必要な流量」が高値選択される回転数は５５％速度である。ガスタービン１の着火時には低圧主蒸気加減弁１８は一旦全閉し（補助蒸気流量も零）、着火後の５５％速度に到達した時点で補助蒸気流量（１００［ｔ／ｈ］）を確保するための低圧主蒸気加減弁１８の開弁レートを算出する。その具体的算出は低圧蒸気タービン３Ｌの駆動トルク（０［Ｎ−ｍ］〜３０［ＫＮ−ｍ］までランプ状に上昇）と、ガスタービン１が発生させるトルクとを加算し、これによるガスタービン１の加速率を求める収束演算プログラムを使用して求めることができるが、詳細は省略する（なお、補助蒸気圧力は第１の圧力として算出する）。
【００９９】
説明の便宜上、この開弁レートを２０［％／分］とする。この２０［％／分］が許容される最も遅い開弁レートであり、実際の変化率設定値１１８ｓは余裕をみてこれより早い（大きい）値に設定する。但し、あまりに早い値では前述の如く補助蒸気供給源である起動用ボイラ２２や他設備にとって追従できないことに留意して設定する。
【０１００】
次に、既に概要を説明した第１の圧力指令値２０１ｓおよび第２の圧力指令値２０２ｓついて図３および図４を参照して詳細に説明する。  
前述したように、図３に示す補助蒸気量調節弁２５用制御回路は、第２の切替器２０３により２つの蒸気圧力設定値を切替えることができるようになっていることから、第２の切替器２０３を蒸気圧力切替器と称することができる。
【０１０１】
また、前述したが、第１の圧力設定値２０１ｓとは、ガスタービン１の昇速に際し必要となる低圧蒸気タービン３Ｌの最大駆動トルクを発生させるための補助蒸気の流量が、前記低圧主蒸気加減弁１８に流入しても当該低圧主蒸気加減弁１８が全開しないような圧力のことであり、具体的には１００［ｔ/ｈ］の補助蒸気流量が補助蒸気量調節弁２５に流入しても、低圧主蒸気加減弁１８が全開に至らない比較的高い圧力を選定する。第２の圧力指令２０２ｓの値とは、低圧蒸気と補助蒸気の両方が低圧主蒸気加減弁１８を介して低圧蒸気タービン３Ｌに供給できる圧力のことである。
【０１０２】
図４において、低圧蒸気タービン３Ｌの最大の駆動トルクは３０［ＫＮ−ｍ］であり、この駆動トルクを発生するための補助蒸気流量は１００［ｔ/ｈ］とする。  
これは第１の圧力設定値２０１ｓを不適切に低い値に設定した場合、１００［ｔ/ｈ］を確保するための補助蒸気のボリュームフロー（体積流量）は大きくなり１００［ｔ/ｈ］を確保する以前に低圧主蒸気加減弁１８が全開し、その結果トルク不足となる不都合を排除するためである。
【０１０３】
具体的な算出は蒸気弁の製造者が提供する特性カーブにより低圧主蒸気加減弁１８の弁開度、弁差圧および流量の関係が提示されるので、これに起動用ボイラ２２が発生する補助蒸気圧力（弁一次圧力：０．７［Ｍｐａ］）を当てはめれば低圧主蒸気加減弁１８が全開したときに１００［ｔ/ｈ］の流量が確保できる弁二次圧力、すなわち、第１の圧力設定値２０１ｓが求まる。実際の第１の圧力設定値２０１ｓはこれに余裕をみて低圧主蒸気加減弁１８が約７０％〜８０％弁開度にて１００［ｔ/ｈ］の流量が確保できる圧力を選定する。ここでは、説明の便宜上、第１の圧力設定値２０１ｓを０．６［Ｍｐａ］と設定する。
【０１０４】
このような比較的高圧の圧力を採用することで、ガスタービン１の燃料パージ運転（このときの補助蒸気量は、軸回転数２７ｓが低いので、当然１００［ｔ/ｈ］より小さな流量となる）時の低圧主蒸気加減弁１８の弁開度は約２０％〜３０％程度の良好な制御性を確保しながら前述したウォービュレーション運転を行う。
【０１０５】
第２の圧力設定値２０２ｓは、前述したように低圧蒸気と補助蒸気の両方が低圧主蒸気加減弁１８を介して低圧蒸気タービン３Ｌに供給できる圧力としたが、その理由を説明する。
【０１０６】
前記のようにガスタービン１が自立運転を開始した後は、低圧主蒸気加減弁１８は低圧タービン冷却蒸気の供給を目的とした流量制御に移行する。そしてその後、低圧ドラム１１から発生する低圧蒸気が適切な流量と温度になった時点で低圧蒸気アイソレーション弁１７が開弁される。そのとき比較的圧力の低い低圧蒸気（約０．３［Ｍｐａ］程度）に対して０．６［Ｍｐａ］（第１の圧力設定値２０１ｓ）の補助蒸気が流入すると、低圧蒸気は低圧主蒸気加減弁１８に流入しない（または計画されたヒートバランスより極端に低圧ドラム１１の圧力が上昇する）という不都合を生じる。従って補助蒸気を第２の圧力設定値２０２ｓに切り替えることで減圧し併行供給に支障ないようにする。
【０１０７】
前述したが、本実施形態１では第２の圧力設定値２０２ｓを次のようにして算出する。検出器２８により検知された低圧ドラム１１の圧力２８ｓと、バイアス圧力設定器２０７に設定されたバイアス値２０８ｓとの加算値２０８ｓを記憶器２０２に入力すると、記憶器２０２はガスタービン１が着火した瞬間に算出した加算値２０８ｓを記憶し、これを第２の圧力設定値２０２ｓとして出力する。
【０１０８】
以後、低圧ドラム１１の圧力２８ｓが起動過程の進捗により増加しても第２の圧力設定値２０２ｓはガスタービン１が着火した瞬間の低圧ドラム１１の圧力２８ｓとバイアス圧力２０７ｓとから算出された値を保持する。
【０１０９】
なお、バイアス値２０８ｓの値は些少であり、これは補助蒸気と低圧蒸気の両蒸気が全く等しい圧力を長時間維持する場合の弊害（補助蒸気量調節弁２５が全閉する等）を回避するために設けたものであるため、記憶されている第２の圧力設定値２０２ｓは、低圧ドラム１１の低圧蒸気とほぼ等しい低い値と考えてよい。
【０１１０】
このように、記憶器２０２から出力される第２の圧力設定値２０２ｓを低圧ドラム１１の低圧蒸気にほぼ等しい低い値としたので、起動用ボイラ２２からの補助蒸気と、低圧ドラム１１からの低圧蒸気の両蒸気を併行して低圧主蒸気加減弁１８に流入することが可能となる。
【０１１１】
なお、これ以後、起動の進行に伴う入熱の蓄積により、低圧ドラム１１の圧力２８ｓ（低圧蒸気の圧力）は除々に上昇して第２の圧力設定値２０２ｓを上回るようになる。これに伴い補助蒸気量調節弁２５は除々に閉弁し、最終的には低圧タービン３Ｌの冷却蒸気の全てが低圧蒸気により賄われる運転となる。
【０１１２】
第２の切替器２０３による第１の圧力設定値２０１ｓから第２の圧力設定値２０２ｓへの切替は、ガスタービン１の燃料パージ運転および着火操作を行う時点においては第１の圧力設定値２０１ｓとし、ガスタービンの回転数がガスタービン１の昇速のために低圧蒸気タービン３Ｌに最大の駆動トルクが必要となる回転数より高く、かつガスタービン１が自立運転ができる回転数より低い回転数においては第２の圧力設定値２０２ｓに切替える。
【０１１３】
比較器２１１は、軸回転数２７ｓが切替回転数設定値２１０ｓに到達したとき、切替指令２１１ｓを第２の切替器２０３に対し出力して、それまでの第１の圧力設定値２０１ｓから第２の圧力設定値２０２ｓに切り替え、補助蒸気と低圧ドラム１１からの低圧蒸気の併行供給に備える。
【０１１４】
低圧主蒸気加減弁１８は、第１の圧力設定値２０１ｓにより１００［ｔ/ｈ］の補助蒸気を確保する運転の場合、その弁開度を７０％〜８０％とするが、第２の圧力設定値２０２ｓは、第１の圧力設定値２０１ｓより低い値なので、補助蒸気の体積流量（ボリューム流量）が増大し、低圧主蒸気加減弁１８の弁開度は増加し（図２の制御回路では、比較器１１９より出力される停止指令１１９ｓがオフして上限リミッタ１０６の上限制限が外れることで、弁開度指令１０６ｓが増加し、低圧主蒸気加減弁１８の弁開度も増加）、場合によっては全開する可能性がある。
【０１１５】
しかしながら、本実施形態１では、５５％速度より高い回転数領域で第２の圧力設定値２０２ｓへの切替を行うようにしたので、図４に示すとおりこの高回転数領域においてはガスタービン１の燃焼ガスによるトルクが除々に大きくなるので、それに呼応するように低圧蒸気タービン３Ｌに要求されるトルクは低下していき、もはや１００［ｔ/ｈ］の補助蒸気流量は必要ではない。第２の圧力設定値２０２ｓに切替えた結果、最悪のケースとして低圧主蒸気加減弁１８が全開してそのために１００［ｔ/ｈ］以下の補助蒸気流量になったとしても、昇速完了に要する時間が長くなるだけで、大きな問題はない。
【０１１６】
図４に示すとおり高回転数ほど低圧蒸気タービン３Ｌに要求されるトルクは低下するので、切替回転数設定値２１０ｓをより高い回転数に設定し、そこで第２の圧力設定値２０２ｓへの切替を行うほうが得策であるが、補助蒸気と低圧蒸気の併行供給はガスタービン１の自立回転数から開始されるので、これより低い回転数に設定する必要がある。
【０１１７】
（実施形態１の変形例）
以上説明した本実施形態１では、流量検出器（流量トランスミッタ）２９を使用して低圧主蒸気加減弁１８を通過する蒸気流量を直接検出するようにしたが、本発明はこれに限定されものではなく、図５で示すように、低圧主蒸気加減弁１８の弁開度を弁開度検出器（弁開度センサ）４３で検出し、検出した弁開度信号４３ｓを、予め弁開度４３ｓと流量４４ｓとの関係を定めてある関数発生器４４に入力して低圧主蒸気加減弁１８を通過する蒸気流量を間接的に求めるようにしても良い。
【０１１８】
（実施形態２）
図６は本発明の実施形態２に係る一軸型複合サイクル発電プラントの主要部を示す系統図である。  
本実施形態２が前述した実施形態１と異なる主な点は、実施形態１が高圧と低圧の二圧から成る蒸気システムで構成した一軸型複合サイクル発電プラントであるのに対し、本実施形態２では高圧、中圧および低圧の三圧から成る蒸気システムで構成した一軸型複合サイクル発電プラントとした点である。
【０１１９】
図６において、本実施形態２の排熱回収ボイラ（ＨＲＳＧ）８Ｂは、図１の排熱回収ボイラ（ＨＲＳＧ）８Ａに対して高圧蒸気よりも低く低圧蒸気よりも高い圧力の中圧蒸気を発生させる中圧ドラム３１と、この中圧ドラム３１で発生した中圧蒸気を過熱する中圧過熱器３２と、高温再熱蒸気を発生させる再熱器３３とを更に備えている。
【０１２０】
蒸気タービン３は、前記高圧蒸気タービン３Ｈおよび前記低圧蒸気タービン３Ｌと同軸に配置されて、再熱器３３からの高温再熱蒸気により駆動される中圧蒸気タービン３Ｉをさらに備えている。
【０１２１】
そして、前記高圧蒸気タービン３Ｈからの排気蒸気を前記中圧蒸気と合流させて再熱器３３に供給する低温再熱蒸気管３４と、再熱器３３で再熱された高温再熱蒸気を中圧蒸気タービン３Ｉに導く高温再熱蒸気管３５と、この高温再熱蒸気管３５の途中に設けられ再熱蒸気量を制御する再熱加減弁３６と、中圧蒸気タービン３Ｉの排気蒸気を低圧蒸気タービン３Ｌに導くクロスオーバ管３７を備え、さらに、前記低圧主蒸気加減弁１８を通過した低圧蒸気を、実線で示すように前記中圧蒸気タービン３Ｉの最終段に導入する低圧主蒸気加減弁リード管１８Ｌまたは破線で示すように前記中圧蒸気タービン３Ｉの出口に近い中間段に導入する低圧主蒸気加減弁リード管１８Ｌａを備えている。
【０１２２】
低圧主蒸気加減弁リード管１８Ｌまたは１８Ｌａにより中圧蒸気タービン３Ｉの最終段または出口に近い中間段に導入された低圧蒸気は、中圧蒸気タービン３Ｉのケーシング内で断熱膨張して減圧された蒸気と合流して低圧タービン蒸気とするよう構成されている。
【０１２３】
なお、本実施形態２において、低圧過熱器１２で過熱された低圧蒸気が、低圧主蒸気管１６、低圧主蒸気加減弁１８、低圧主蒸気加減弁リード管１８Ｌまたは１８Ｌａを経て中圧タービンの最終段または出口近傍の中間段に至り、この中圧タービン３Ｉからクロスオーバ管を経て低圧蒸気タービン３Ｌに至る蒸気系統を低圧タービン蒸気供給系統と称する。その他、図１と同じ機器、配管には同じ符号を付けて重複する説明は省略する。
【０１２４】
このように、三圧の蒸気システムで構成される本実施形態２の一軸型複合サイクル発電プラントにおいても、低圧蒸気タービン３Ｌによりガスタービン１が自立運転できる回転数まで昇速する起動方法は適用できる。
【０１２５】
（実施形態３）
図７は本発明の実施形態３に係る一軸型複合サイクル発電プラントの主要部を示す系統図である。  
本実施形態３が前述した実施形態２と異なる点は、実施形態２の場合、図６で示したようにガスタービン１の静翼や動翼等の高温部は特に冷却媒体で冷却するようにしていないが、本実施形態３ではガスタービン１の静翼や動翼等の高温部を蒸気によって冷却する、所謂蒸気冷却方式を採用している点である。
【０１２６】
図７で示す一軸型複合サイクル発電プラントの主要系統図において、低温再熱系統３４と再熱器３３の間には、ガスタービン１の静翼や動翼等の高温部を冷却するためのガスタービン冷却ユニット３８を設けている。このガスタービン冷却ユニット３８の蒸気は蒸気往路配管３９によりガスタービン１の動翼または静翼等の高温部に導かれ、その高温部を冷却した後、蒸気帰路配管４０によりガスタービン冷却ユニット３８に戻るように構成されている。
【０１２７】
そして、ガスタービン圧縮機２の吐出空気は、中間部に逆止弁４１を備えた空気配管４２によって前記低温再熱蒸気系統３４に接続されるようになっている。その他、図６と同じ機器、配管には同じ符号を付けて説明を省略する。
【０１２８】
本実施形態３では、ガスタービン１の起動および昇速の段階では、ガスタービン冷却ユニット３８に対して逆止弁４１を備えた空気配管４２からガスタービン圧縮機２の吐出空気を供給することによりガスタービン１の高温部を空気冷却運転（空気冷却モード運転）を行い、その後起動過程が進行して排熱回収ボイラ８Ｂから高圧蒸気タービン３Ｈに蒸気が通気されて排気蒸気が発生する過程になると、高圧蒸気タービン３Ｈの排気蒸気の圧力がガスタービン圧縮機２の吐出空気の圧力よりも高くなった時点で逆止弁４１が閉止されて吐出空気が止まり、この吐出空気と入れ替わって高圧蒸気タービン３Ｈの排気蒸気が冷却蒸気系統３８に流入するようになり、ガスタービン１高温部の蒸気冷却運転（蒸気冷却モード運転）が実現する。
【０１２９】
このように、本実施形態３によれば、ガスタービン１の高温部に蒸気冷却方式を採用した一軸型複合サイクル発電プラントにおいて、低圧蒸気タービン３Ｌによりガスタービン１が自立運転ができる回転数まで昇速するようにした起動方法を採用できる。
【０１３０】
（実施形態４）
図面の説明に入る前に、まず本実施形態４が解決すべき課題について説明する。  
一軸型複合サイクル発電プラントの起動過程では、前述したようにガスタービンの着火直前にパージ運転の回転数から着火回転に向けて速度を降下させるため、一旦低圧主蒸気加減弁を全閉し、ガスタービン着火後は、ガスタービンの適切な燃焼を保持するために大きな加速率で軸５を駆動・昇速する必要がある。このため、低圧主蒸気加減弁は発電プラントの起動過程において全閉状態から大きな弁開度まで急速に開弁操作される。
【０１３１】
起動用ボイラは、低圧主蒸気加減弁の弁開度に追従させるために着火前の最低発生蒸気量運転の状態から短時間（約２分から３分程度の間）で最大蒸気量相当の蒸気を発生させるように急速な負荷上昇を強いられることになる。しかし、一般に起動用ボイラはそのような急速な負荷上昇に対応できるように設計されておらず、低圧主蒸気加減弁の早い開弁操作に追従するように制御することは難しい。
【０１３２】
そこで、本実施形態４では、上記の課題を解決するために、一軸型複合サイクル発電プラントの起動前にガスタービン自立運転に必要とされる発生蒸気量を起動前に発生させておき、軸の昇速開始後は起動用ボイラの負荷を一定のまま、すなわち、負荷上昇や負荷降下をしないで蒸気起動が行えるようにした一軸型複合サイクル発電プラントの起動方法および一軸型複合サイクル発電プラントを提供するものである。
【０１３３】
以下、図面を参照して本実施形態４について詳細に説明する。  
図８は本発明の実施形態４に係る一軸型複合サイクル発電プラントの主要部を示す系統図であり、図９は図示しない起動制御装置に設けられた低圧主蒸気加減弁および補助蒸気量調節弁の制御回路図である。
【０１３４】
なお、図８の一軸型複合サイクル発電プラントは、前述した実施形態２および３と同様に、排熱回収ボイラ８Ｃは高圧、中圧および低圧の三圧から成る蒸気システムを構成しているが、実施形態１のように、高圧および低圧の二圧から成る蒸気システムで構成してもよいことはもちろんである。
【０１３５】
図８および図９において、既に説明した図と重複する部分については重複する説明は適宜省略し、新たに付加された部分について重点的に説明する。  
本実施形態４では、上記の課題に対応するために排熱回収ボイラ８Ｃおよび起動時補助蒸気供給配管２６の構成が実施形態２および３とは異なっている。
【０１３６】
本実施形態４の排熱回収ボイラ８Ｃは、高圧過熱器１０を高圧第一過熱器１０ａおよび高圧第二過熱器１０ｂに分離し、高圧ドラム９で発生した蒸気が高圧第一過熱器１０ａで過熱され、さらに高圧第二過熱器１０ｂで過熱されたのち、高圧主蒸気管１３から導出されるように構成されている。
【０１３７】
また、起動時補助蒸気供給配管２６は、次にように構成されている。  
すなわち、起動用ボイラ２２と、補助蒸気供給主管２３と、一端を補助蒸気供給主管２３に接続され、他端を前記低圧主蒸気加減弁１８の上流側に接続され、かつ、途中に逆止弁４５および冷却蒸気止め弁４６を有する補助蒸気供給分岐管２４と、この分岐管２４の逆止弁４５上流側に一端を接続され、他端を復水器１９に接続され、かつ、途中に起動時の補助蒸気量を調節する補助蒸気量調節弁２５を有するバイパス管４７とから構成されている。
【０１３８】
なお、本実施形態４では、上記のほか低圧主蒸気管１６の補助蒸気供給分岐管２４との合流点よりも上流部に、前記低圧蒸気アイソレーション弁１７に替えて逆止弁４８を設けている点が異なる。
【０１３９】
本実施形態４は、これまで述べた実施形態１乃至３と同様に、起動用ボイラ２２から発生する蒸気を低圧主蒸気加減弁１８を経由して低圧タービン３Ｌに供給してこれを駆動して軸５を昇速する起動形態を採用している。
【０１４０】
この起動形態において、起動用ボイラ２２は、軸５の昇速が開始される前にガスタービン１が自立運転できる回転数まで軸５を昇速するのに必要な蒸気量を発生させておき、その蒸気を前記バイパス管４７と補助蒸気量調節弁２５を介して復水器１９に流入させておく。そして、昇速の過程で補助蒸気が低圧主蒸気加減弁１８に供給されるときは、前記補助蒸気量調節弁２５は低圧主蒸気加減弁１８と同補助蒸気量調節弁２５の両弁を通過する蒸気量の和が前記回転数まで軸５を昇速するのに必要な蒸気量と等しくなるように流量制御を行うようにしている。
【０１４１】
次に、図９を参照して図示しない起動制御装置に設けられている低圧主蒸気加減弁および補助蒸気量調節弁用制御回路図について説明する。  
１０１は、ガスタービン１を通常起動運転する場合の回転数設定器であり、図２に示したガスタービン１の通常起動用の回転数設定器と同じものであり、起動開始時点からの時間（横軸）に対するガスタービンの通常起動で要求される軸回転数設定値１０１ｓが予め設定されている。
【０１４２】
３０１は、水洗運転回転数設定器であり、起動開始時点からの時間（横軸）に対するガスタービン圧縮機水洗運転で要求される軸回転数が予め設定値３０１ｓとして設定されている。なお、ガスタービン圧縮機水洗運転とは、ガスタービンの着火を伴わず軸を所定の回転数に昇速する非着火昇速運転の一例である。
【０１４３】
３０２は、ガスタービン１が「通常起動運転」か「ガスタービン圧縮機水洗運転」かのいずれかが選択されたとき連動して入力端子の切替えを行う第３の切替器であり、「通常起動運転」の場合は、実線のように端子（イ）−（ハ）を接続して通常起動運転時の軸回転数設定値１０１ｓを出力指令３０２ｓとして出力するが、「ガスタービン圧縮機水洗運転」の指令が出ると端子（ロ）−（ハ）を接続するように切替えて「ガスタービン圧縮機水洗運転」時の軸回転数設定値３０１ｓを出力指令３０２ｓとして出力する。
【０１４４】
３０３は減算器であり、第３の切替器３０２の出力指令３０２ｓと回転数検出器２７の軸回転数２７ｓとを入力し、出力指令３０２ｓから回転数検出器２７の軸回転数２７ｓを減算して偏差３０３ｓを出力する。３０４はＰＩコントローラであり、偏差３０３ｓを入力してガスタービン１の軸回転数２７ｓが出力指令３０２ｓと等しくなるように比例積分演算（ＰＩ演算）し、その演算結果を低圧主蒸気加減弁１８の弁開度指令３０４ｓとして出力する。
【０１４５】
４３および４４は、それぞれ図５で既に説明した弁開度センサおよび関数発生器と同じものであり、それぞれ弁開度信号４３ｓ、流量信号４４ｓを出力する。  
一方、３０５はガスタービン１の自立回転蒸気量設定器であり、通常起動運転の起動時に自立回転するうえで必要な蒸気流量指令３０５ｓを出力する。
【０１４６】
３０６はガスタービン圧縮機水洗運転するときの蒸気流量を設定する設定器である。３０７は前述した第３の切替器３０２と同様に、ガスタービン１が通常起動運転かタービン圧縮機水洗運転かによって入力を切替えて出力するように構成された第４の切替器であり、第３の切替器３０２と連動して軸５が通常起動運転するときは実線のように端子（イ）−（ハ）を接続してガスタービン自立回転蒸気量設定値３０５ｓを出力指令３０７ｓとして出力するが、ガスタービン圧縮機水洗運転指令が出ると端子（ロ）−（ハ）を接続して水洗時の蒸気流量設定値３０６ｓを出力指令３０７ｓとして出力する。
【０１４７】
３０８は減算器であり、第４の切替器３０７の出力指令３０７ｓと前記関数発生器４４の出力４４ｓとを入力し、出力指令３０７ｓから低圧主加減弁に流れる蒸気量に相当する出力４４ｓを減算して偏差を蒸気流量指令３０８ｓとして出力する。
【０１４８】
３０９は入力した蒸気流量指令と出力される弁開度指令との関係を予め関数として設定してある関数器発生器であり、減算器３０８から入力された偏差３０８ｓに対応した弁開度指令３０９ｓを補助蒸気量調節弁２５の図示しない駆動装置に出力する。
【０１４９】
次に、図８および図９を参照して、本実施形態４における低圧主蒸気加減弁１８および補助蒸気量調節弁２５の制御について説明する。  
［１］通常起動運転時
起動用ボイラ２２は、複合サイクル発電プラントに起動指令が出力される前から運転しておき、必要な蒸気量を発生させておく。このため、ガスタービン自立回転蒸気量設定器３０５からガスタービン１が自立回転するうえで必要な蒸気流量指令３０５ｓが出力されている。起動指令が出力される前では、低圧主蒸気加減弁１８はまだ全閉しているので、弁開度センサ４３で検出された低圧主蒸気加減弁１８の弁開度信号４３ｓは零であり、関数発生器４４から出力される低圧主蒸気加減弁通過蒸気量４４ｓも当然零である。
【０１５０】
まず、補助蒸気量調節弁２５に注目して説明すると、ガスタービン１が自立回転するうえで必要な蒸気流量指令３０５ｓは第４の切替器３０７を経て減算器３０８に入力される。減算器３０８のもう１つの入力信号である低圧主蒸気加減弁通過蒸気量４４ｓは、まだ零であるため、この減算器３０８から出力される偏差すなわち、補助蒸気量調節弁流量設定指令３０８ｓはガスタービン自立回転蒸気流量設定値３０５ｓと等しい、最も大きな値である。
【０１５１】
関数発生器３０９は入力した補助蒸気量調節弁流量設定指令３０８ｓに対応した弁開度指令３０９ｓを出力するので、補助蒸気量調節弁２５は弁開度指令３０９ｓに応じた最大の弁開度になるように開弁され始める。このように、起動指令が出た時点では、起動用ボイラ２２から補助蒸気供給主管２３に供給される補助蒸気は、全てバイパス管４７に設けられている補助蒸気量調節弁２５を通過して復水器１９に流入する。
【０１５２】
一方、第３の切替器３０２は、通常起動運転を選択すると端子（イ）−（ハ）を接続するので、ガスタービン自立回転速度設定指令値１０１ｓは減算器３０３の一方の入力端子に入力されるが、このとき軸５はまだ始動していないので軸回転数２７ｓは零であり、減算器３０３から出力される偏差３０３ｓ、すなわちガスタービン自立回転速度設定指令値１０１ｓはＰＩコントローラ３０４に入力される。ＰＩコントローラ３０４は、この偏差３０３ｓを比例積分演算（ＰＩ演算）して軸５の回転数信号２７ｓがガスタービン自立回転速度設定指令値１０１ｓに等しくなるように低圧主蒸気加減弁１８の図示しない駆動装置に対して弁開度指令３０４ｓを与える。これにより、低圧主蒸気加減弁１８の開弁を始める。この低圧主蒸気加減弁１８の開弁により、起動用ボイラ２２から発生する補助蒸気の一部は低圧タービン３Ｌに供給されるようになり、その分、復水器１９に流入する補助蒸気の量は減少する。
【０１５３】
起動開始時点から時間が経過し、回転速度設定値１０１ｓは徐々に大きくなって軸５の昇速が開始されると、低圧主蒸気加減弁通過蒸気量４３ｓが増加し、信号４４ｓも増加するため、減算器３０８の偏差３０８ｓすなわち補助蒸気量調節弁流量指令３０８ｓが減少する。補助蒸気量調節弁流量指令３０８ｓの減少により、補助蒸気量調節弁２５の弁開度は絞られるようになり、その絞られた分だけバイパス管４７の補助蒸気量調節弁２５を通って復水器１９に供給される補助蒸気量が減少する。
【０１５４】
その後、軸５はガスタービン自立回転速度設定指令値１０１ｓに追従してやがてパージ回転数まで昇速される。そして、所定のパージ時間が終了したあと、ガスタービン通常起動回転数設定器１０１はガスタービン１を着火するために軸回転数設定値１０１ｓを一旦低下させた後にガスタービン自立回転数に向けて急激なレートで上昇する。
【０１５５】
これに伴いＰＩコントローラ３０４は軸回転数２７ｓが軸回転数設定値１０１ｓと等しくなるように弁開度指令３０４ｓを増加させて、低圧主蒸気加減弁１８の弁開度を増していくので、低圧タービン３Ｌには、多量の補助蒸気が供給されるようになり、最終的に軸５はガスタービン１が自立運転できる回転数まで昇速される。
【０１５６】
一方、低圧主蒸気加減弁１８を通過する補助蒸気量が増加すると、信号４４ｓが増加するため、減算器３０８の偏差３０８ｓはますます減少し、軸５がガスタービン１の最大駆動トルクが要求される回転数まで昇速されると補助蒸気量調節弁２５は全閉され、補助蒸気は全て低圧蒸気タービン３Ｌに供給される。
【０１５７】
一般に、ガスタービン１は着火したあと、ガスタービン自立回転数に向けて急激なレートで昇速するとき、低圧主蒸気加減弁１８も急激に弁開度を増加させて起動用ボイラ２２からの供給される蒸気も急激に消費するが、起動用ボイラ２２はそのような急速な負荷上昇は非常に困難で追従できないため、蒸気量不足となり必要な加速率が達成できないという問題が発生する。
【０１５８】
しかしながら、本実施形態４では、起動用ボイラ２２は起動前に必要な負荷上昇を終わらせて充分な蒸気を発生させておき、低圧蒸気タービン３Ｌが必要とする蒸気量だけ低圧主蒸気加減弁１８を通過させて、低圧蒸気タービン３Ｌが必要としない余剰の蒸気量は補助蒸気量調節弁２５を通じて復水器１９に流入するようにし、両弁を通過する蒸気量の和を一定にしたので上述した弊害を伴わずに一軸型複合サイクル発電プラントの起動を行うことが可能となる。
【０１５９】
なお、本実施形態４は、低圧主蒸気加減弁１８の急激な開弁に伴う蒸気流量の変動が時間遅れを伴うため制御作用に遅れが発生することに配慮して、低圧主蒸気加減弁１８の弁開度検出器４３からの弁開度検出値４３ｓを関数発生器４４および減算器３０８を経て関数発生器３０９に入力することにより、補助蒸気量調節弁２５を通過する補助蒸気の流量が補助蒸気量調節弁２５の流量設定指令３０８ｓと等しくなるような弁開度指令３０９ｓを算出して弁開度と蒸気流量を直接変換する方式を採用したが、この方法に替わり実施形態１の図２のように、流量計（流量トランスミッタ）を使用することで低圧主蒸気加減弁１８を通過する蒸気流量を検知することも可能である。
【０１６０】
［２］ガスタービン圧縮機水洗運転時
ガスタービン圧縮機水洗運転の場合も、前述した通常起動運転の場合と同様に起動用ボイラ２２は起動前から蒸気を発生させておく。また、水洗運転蒸気流量設定器３０６にはガスタービン１が水洗運転できる回転数まで軸５を昇速するのに必要な蒸気量、すなわち水洗運転蒸気流量設定値３０６ｓが設定されているものとする。
【０１６１】
この状態において、「ガスタービン圧縮機水洗運転」指令を出力すると、まず、第３の切替器３０２および第４の切替器３０７は、破線のように端子（ロ）−（ハ）を接続する。これより第３の切替器３０２から水洗運転回転数設定値３０１ｓが選択出力されるとともに、第４の切替器３０７から水洗運転蒸気流量設定値３０６ｓが減算器３０８を経て関数発生器３０９に入力され、関数発生器３０９から水洗運転蒸気流量設定値３０６ｓに対応した弁開度指令３０９が出力される。
【０１６２】
このガスタービン圧縮機水洗運転が選択された時点では、低圧主蒸気加減弁１８は全閉しているので、低圧主蒸気加減弁の弁開度検出器４３の検出信号４３ｓは零であり、関数発生器４４から出力される低圧主蒸気加減弁通過蒸気量４４ｓも零である。
【０１６３】
このため、減算器３０８の偏差３０８ｓすなわち、水洗運転蒸気流量設定値３０６ｓを入力した関数発生器３０９は、補助蒸気量調節弁２５を通過する蒸気流量が水洗運転蒸気流量設定値３０６ｓと等しくなるような最も大きな弁開度指令３０９ｓを出力する。
【０１６４】
これより、ガスタービン圧縮機水洗運転選択時点では、補助蒸気量調節弁２５は最大の弁開度指令３０９ｓによって開弁され、起動用ボイラ２２から発生する全ての蒸気は補助蒸気量調節弁２５を通過して復水器１９に流入する。
【０１６５】
一方、水洗運転回転数設定器３０１には起動開始時点からの時間（横軸）に対するガスタービン圧縮機水洗運転で要求される軸回転数設定値３０１ｓが予め設定されているので、ガスタービン１が起動される前は水洗運転軸回転数設定値３０１ｓは零であるが、起動が開始され時間の経過と共に水洗運転軸回転数設定値３０１ｓは水洗回転数に向けて急激に上昇するようになる。  
減算器３０３は水洗運転軸回転数設定値３０１ｓから回転数検出器２７により検出された軸回転数２７ｓを減算することにより偏差３０３ｓを算出する。
【０１６６】
ＰＩコントローラ３０４は偏差３０４ｓを入力して軸回転数２７ｓが水洗運転軸回転数設定値３０１ｓと等しくなるように低圧主蒸気加減弁１８の弁開度指令３０４ｓを算出する。  
このようにして起動用ボイラ２２から発生する蒸気は、水洗運転軸回転数設定値３０１ｓに基づいて低圧タービン３Ｌに供給され、軸５は水洗回転数まで昇速される。
【０１６７】
このように図９で示した制御回路は、通常起動運転と同様に、ガスタービン圧縮機水洗運転の場合も、起動用ボイラ２２から発生する蒸気の総量を変えずに、低圧主蒸気加減弁１８を通過する蒸気量が増えるに連れ、補助蒸気量調節弁２５を通過する蒸気量は減少させるようにしたので、起動用ボイラ２２の急激な負荷上昇を伴わずにガスタービン圧縮機水洗運転を行うことが可能となる。
【０１６８】
一般的には水洗運転蒸気流量設定値３０５ｓはガスタービン自立回転蒸気流量設定値１０７ｓに比較して小さい値であり、起動用ボイラ２２の負荷も小さくてよいので同ボイラ２２が消費する燃料や水の量も小量である。すなわち本実施形態４は起動用ボイラの急激な負荷上昇問題の解消と共に、経済的なガスタービン圧縮機水洗運転方法を提供することができる。
【０１６９】
なお、ガスタービンの着火を伴わず軸を所定の回転数に昇速するガスタービン非着火昇速運転の例としてガスタービン圧縮機水洗運転を説明したが、非着火昇速運転のこの他の例であるガスタービン冷却運転等にも本実施形態を適用することが可能である。
【０１７０】
（実施形態５）
図１０は本発明の実施形態５に係る一軸型複合サイクル発電プラントの主要部を示す系統図である。  
図１０において、既に説明した図と重複する部分については重複する説明は適宜省略し、新たに付加された部分について重点的に説明する。
【０１７１】
前述した実施形態４では、冷却蒸気供給管２３には起動用ボイラ２２から発生する蒸気を低圧主蒸気加減弁１８を経ることなく復水器１９に直接流入させるバイパス管４７が接続され、同配管には補助蒸気量調節弁２５を備える構成であった。
【０１７２】
これに対して本実施形態５では図１０で示すように、補助蒸気供給主管２３にはバイパス管４７を接続する替わりに、起動用ボイラ２２からから発生する蒸気を低圧主蒸気加減弁１８を経ることなく直接大気に放出する起動蒸気大気放出管４９を接続し、同配管４９には補助蒸気量調節弁２５とサイレンサ５０を備えるように構成している。
【０１７３】
起動用ボイラ２２は、軸５の昇速が開始される前にガスタービン１が自立運転できる回転数まで昇速するのに必要な蒸気量を発生させておき、その蒸気を前記起動蒸気大気放出管４９に設けられた補助蒸気量調節弁２５およびサイレンサ５０を通じて大気に放出させておく。
【０１７４】
本実施形態５の低圧主蒸気加減弁１８および補助蒸気量調節弁２５用制御回路は図９を共用する。  
したがって、ガスタービン冷却運転の場合、実施形態４と同様に昇速の過程で蒸気が低圧主蒸気加減弁１８に供給されるときは、低圧主蒸気加減弁１８と補助蒸気量調節弁２５の両弁を通過する蒸気量の和が前記回転数まで軸５を昇速するのに必要な蒸気量と等しくなるように補助蒸気量調節弁２５の流量制御を行う。
【０１７５】
一方、タービン圧縮機水洗運転の場合、実施形態４と同様に起動用ボイラ２２は、ガスタービン圧縮機水洗運転の起動前（軸５の昇速が開始される前）に水洗運転に必要な蒸気流量を発生させ、その蒸気を起動蒸気大気放出管４９と補助蒸気量調節弁２５とサイレンサ５０を通じて大気に放出させておく。
【０１７６】
タービン圧縮機水洗運転の場合も、低圧主蒸気加減弁１８と補助蒸気量調節弁２５の制御回路も図９を共用する。すなわち、昇速の過程で蒸気が低圧主蒸気加減弁１８に供給されるときは、低圧主蒸気加減弁１８と補助蒸気量調節弁２５の両弁を通過する蒸気量の和が水洗運転を行うに必要な蒸気量と等しくなるように補助蒸気量調節弁２５の流量制御を行う。
【０１７７】
以上のように、本実施形態５によれば、ガスタービン通常起動時と同様に、ガスタービン圧縮機水洗運転の場合も、起動用ボイラ２２から発生する蒸気の総量を変えずに低圧主蒸気加減弁１８を通過する蒸気量が増えるにつれ、補助蒸気量調節弁２５を通過する蒸気量を減少させるようにしたので、起動用ボイラ２２の急激な負荷上昇を伴わずにガスタービン圧縮機水洗運転を行うことが可能となる。
【０１７８】
なお、実施形態４と同様にガスタービンの着火を伴わず軸を所定の回転数に昇速するガスタービンの非着火昇速運転の例としてガスタービン圧縮機水洗運転を説明したが、非着火昇速運転のこのほかの例であるガスタービン冷却運転等にも本実施形態を適用することが可能である。
【符号の説明】
【０１７９】
１…ガスタービン（ＧＴ）、２…圧縮機（ＣＯＭＰ）、３…蒸気タービン、３Ｈ…高圧蒸気タービン、３Ｉ…中圧蒸気タービン、３Ｌ…低圧蒸気タービン、４…発電機、５…軸、６…燃焼器、７…入口案内翼（ＩＧＶ）、８Ａ，８Ｂ，８Ｃ…排熱回収ボイラ、９…高圧ドラム、１０…高圧過熱器、１０ａ…高圧第一過熱器、１０ｂ…高圧第二過熱器、１１…低圧ドラム、１２…低圧過熱器、１３…高圧主蒸気管、１４…高圧主蒸気加減弁、１５…低圧蒸気配管、１６…低圧主蒸気管、１７…低圧蒸気アイソレーション弁、１８…低圧主蒸気加減弁、１９…復水器、２０…循環水ポンプ、２１…給水ポンプ、２２…起動用ボイラ、２３…補助蒸気供給主管、２４…補助蒸気供給分岐管、２５…補助蒸気量調節弁、２６…起動時補助蒸気供給配管、２７…回転数検出器、２８…検出器、２９…検出器、３０…検出器、３１…中圧ドラム、３２…中圧過熱器、３３…再熱器、３４…低温再熱系統、３５…高温再熱系統、３６…再熱加減弁、３７…クロスオーバ管、３８…蒸気冷却ユニット、３９…蒸気往路配管、４０…蒸気帰路配管、４１…逆止弁、４２…空気配管、４３…低圧主蒸気加減弁の弁開度検出器（弁開度センサ）、４４…関数発生器、４５…逆止弁、４６…冷却蒸気止め弁、４７…バイパス管、４８…逆止弁、４９…起動蒸気大気放出管、５０…サイレンサ、１０１…設定器、１０２…減算器、１０３…ＰＩコントローラ、１０４…第１の切替器、１０５…変化率リミッタ、１０６…上限リミッタ、１０７…設定器、１０８…比較器、１１３…設定器、１１５…減算器、１１６…ＰＩコントローラ、１１８…設定器、１１９…比較器、１２０…設定器、２０１…設定器、２０２…記憶器、２０３… 第２の切替器、２０４…減算器、２０５…ＰＩコントローラ、２０７…設定器、２０８…加算器、２１０…設定器、２１１…比較器、３０１…水洗起動回転数設定器、３０２…第３の切替器、３０３…減算器、３０４…ＰＩコントローラ、３０５…設定器、３０６…設定器、３０７…第４の切替器、３０８…減算器、３０９…関数発生器。
【図１】
2010261389.tif 000003
【図２】
2010261389.tif 000004
【図３】
2010261389.tif 000005
【図４】
2010261389.tif 000006
【図５】
2010261389.tif 000007
【図６】
2010261389.tif 000008
【図７】
2010261389.tif 000009
【図８】
2010261389.tif 000010
【図９】
2010261389.tif 000011
【図１０】
2010261389.tif 000012